(57)【要約】【課題】同期多重伝送システムにおけるクロック管理を容易にすること。【解決手段】本発明に係る多重伝送装置１０は、同期系信号と非同期系信号を多重伝送する。その多重伝送装置１０は、同期系信号から第１クロックＣ１を抽出するクロック抽出部１２と、第１クロックＣ１に基づいて同期系信号と非同期系信号を多重化するデータ多重部１１とを備える。同期系信号は、例えばＳＤＨが規定するＳＴＭ−１に準拠した信号である。データ多重部１１は、非同期系信号をＳＤＨフレームのペイロード部ＰＬＤにマッピングする。【選択図】図２
2008054299.tif 000002
【特許請求の範囲】
【請求項１】
同期系信号と非同期系信号を多重伝送する多重伝送装置であって、
前記同期系信号から第１クロックを抽出するクロック抽出部と、
前記第１クロックに基づいて、前記同期系信号と前記非同期系信号を多重化するデータ多重部と
を備える
多重伝送装置。
【請求項２】
請求項１に記載の多重伝送装置であって、
前記同期系信号は、ＳＤＨ（Synchronous Digital Hierarchy）が規定するＳＴＭ−１（Synchronous Transport Module Level-1）に準拠した信号である
多重伝送装置。
【請求項３】
請求項２に記載の多重伝送装置であって、
前記データ多重部は、前記同期系信号及び前記非同期系信号をＳＤＨフレームのペイロード部にマッピングする
多重伝送装置。
【請求項４】
請求項１乃至３のいずれかに記載の多重伝送装置であって、
フリーランクロックを生成する固定発振器と、
前記クロック抽出部により抽出される前記第１クロック及び前記フリーランクロックを受け取るクロック選択部と
を更に備え、
前記クロック抽出部によるクロック抽出が正常な場合、前記クロック選択部は、前記クロック抽出部から受け取った前記第１クロックを、前記データ多重部に出力し、
前記クロック抽出部によるクロック抽出が正常ではない場合、前記クロック選択部は、前記フリーランクロックを前記データ多重部に出力する
多重伝送装置。
【請求項５】
請求項１乃至４のいずれかに記載の多重伝送装置であって、
前記データ多重部は、前記同期系信号と前記非同期系信号を時分割多重（TDM: Time Division Multiplex）し多重化信号を生成する
多重伝送装置。
【請求項６】
請求項５に記載の多重伝送装置であって、
複数のトランスポンダと、
前記複数のトランスポンダのそれぞれから出力される波長の異なる複数の信号に対して波長分割多重（WDM: Wavelength Division Multiplex）を行う波長多重部と
を更に備え、
前記複数のトランスポンダの各々が、前記クロック抽出部及び前記データ多重部を含み、前記複数のトランスポンダのそれぞれが、前記多重化信号を互いに波長の異なる前記複数の信号に変換する
多重伝送装置。
【請求項７】
同期系信号と非同期系信号を多重伝送する多重伝送システムであって、
送信装置と、
前記伝送路を介して前記送信装置と接続された受信装置と
を具備し、
前記送信装置は、
前記同期系信号から第１クロックを抽出するクロック抽出部と、
前記第１クロックに基づいて前記同期系信号と前記非同期系信号を多重化し、多重化信号を生成するデータ多重部と
を備え、
前記受信装置は、前記多重化信号を前記同期系信号と前記非同期系信号に分離するデータ分離部を備える
多重伝送システム。
【請求項８】
請求項７に記載の多重伝送システムであって、
前記同期系信号は、ＳＤＨ（Synchronous Digital Hierarchy）が規定するＳＴＭ−１（Synchronous Transport Module Level-1）に準拠した信号である
多重伝送システム。
【請求項９】
請求項８に記載の多重伝送システムであって、
前記データ多重部は、前記同期系信号及び前記非同期系信号をＳＤＨフレームのペイロード部にマッピングする
多重伝送システム。
【請求項１０】
請求項７乃至９のいずれかに記載の多重伝送システムであって、
前記送信装置は、
フリーランクロックを生成する固定発振器と、
前記クロック抽出部により抽出される前記第１クロック及び前記フリーランクロックを受け取るクロック選択部と
を更に備え、
前記クロック抽出部によるクロック抽出が正常な場合、前記クロック選択部は、前記クロック抽出部から受け取った前記第１クロックを、前記データ多重部に出力し、
前記クロック抽出部によるクロック抽出が正常ではない場合、前記クロック選択部は、前記フリーランクロックを前記データ多重部に出力する
多重伝送システム。
【請求項１１】
請求項７乃至１０のいずれかに記載の多重伝送システムであって、
前記データ多重部は、前記同期系信号と前記非同期系信号を時分割多重（TDM: Time Division Multiplex）し前記多重化信号を生成する
多重伝送システム。
【請求項１２】
請求項１１に記載の多重伝送システムであって、
前記送信装置は、
複数の第１トランスポンダと、
前記複数の第１トランスポンダのそれぞれから出力される波長の異なる複数の信号に対して波長分割多重（WDM: Wavelength Division Multiplex）を行い、波長多重化信号を生成する波長多重部と
を更に備え、
前記複数の第１トランスポンダの各々が、前記クロック抽出部及び前記データ多重部を含み、前記複数のトランスポンダのそれぞれが、前記多重化信号を互いに波長の異なる前記複数の信号に変換し、
前記受信装置は、
前記波長多重化信号を前記波長の異なる複数の信号に分離する波長分離部と、
前記複数の信号のそれぞれを受け取る複数の第２トランスポンダと
を更に備え、
前記複数の第２トランスポンダの各々が、前記データ分離部を含み、前記各々の第２トランスポンダは、前記複数の信号のうち対応する信号を前記多重化信号に変換し、前記多重化信号を前記同期系信号と前記非同期系信号に分離する
多重伝送システム。
【請求項１３】
同期系信号と非同期系信号を多重伝送する多重伝送方法であって、
（Ａ）前記同期系信号から第１クロックを抽出するステップと、
（Ｂ）前記第１クロックに基づいて前記同期系信号と前記非同期系信号を多重化し、多重化信号を生成するステップと、
（Ｃ）前記多重化信号に基づいて生成された信号を伝送するステップと
を含む
多重伝送方法。
【請求項１４】
請求項１３に記載の多重伝送方法であって、
前記同期系信号は、ＳＤＨ（Synchronous Digital Hierarchy）が規定するＳＴＭ−１（Synchronous Transport Module Level-1）に準拠した信号である
多重伝送方法。
【請求項１５】
請求項１４に記載の多重伝送方法であって、
前記（Ｂ）ステップにおいて、前記同期系信号及び前記非同期系信号は、ＳＤＨフレームのペイロード部にマッピングされる
多重伝送方法。
【請求項１６】
請求項１３乃至１５のいずれかに記載の多重伝送方法であって、
前記（Ｂ）ステップにおいて、前記同期系信号と前記非同期系信号との時分割多重（TDM: Time Division Multiplex）により前記多重化信号が生成される
多重伝送方法。
【請求項１７】
請求項１６に記載の多重伝送方法であって、
前記（Ｃ）ステップは、
（ａ）前記多重化信号を所定の波長の信号に変換するステップと、
（ｂ）前記（ａ）ステップにより得られる波長の異なる複数の信号に対して、波長分割多重（WDM: Wavelength Division Multiplex）を行い、波長多重化信号を生成するステップと、
（ｃ）前記波長多重化信号に基づいて生成された信号を伝送するステップと
を含む
多重伝送方法。
【発明の詳細な説明】
【技術分野】
【０００１】
本発明は、多重伝送装置、多重伝送システム、及び多重伝送方法に関する。特に本発明は、同期系信号と非同期系信号を多重伝送する技術に関する。
【背景技術】
【０００２】
光ファイバを用いた高速デジタル通信方式として、「ＳＤＨ（Synchronous Digital Hierarchy）」が知られている。ＳＤＨは、ネットワーク全体での同期を前提としたデジタル多重技術であり、国際電気通信連合によって１９８８年に標準化されている。ＳＤＨによる同期多重伝送の基準は、「ＳＴＭ−１（Synchronous Transport Module Level-1）」として規定されている。ＳＴＭ−１によれば、１フレームは９行×２７０列（バイト）の信号で構成される。フレーム周期が１２５μｓに規定されているため、基準となる伝送速度は１５５．５２Ｍｂｐｓとなる。
【０００３】
同期多重伝送において、クロックの管理は重要である。特許文献１には、ＳＤＨに対応した伝送システムにおけるクロック供給方式が記載されている。その伝送システムにおいては、ＡＤＭ（Add Drop Multiplexer）が環状に配置されている。一方の伝送路の信号からクロックが抽出できない場合、他方の伝送路で抽出されているクロックが用いられる。これにより、網同期が保たれる。
【０００４】
また、近年のネットワークの多様化に伴い、様々なビットレートや種類の信号を伝送することができる技術が要求されている。例えば、伝送路に対して伝送速度が同期している信号（以下、「同期系信号」と参照される）と、同期していない信号（以下、「非同期系信号」と参照される）をそれぞれ伝送することができる技術が要求されている。
【０００５】
特許文献２には、同期系信号と非同期系信号をそれぞれデジタル伝送する時分割多重伝送システムが記載されている。その時分割多重伝送システムの多重化装置は、スタッフ同期化部、多重化部、及びクロック発生部を備えている。スタッフ同期化部は、非同期系信号に対してスタッフ処理を行い、非同期系信号を伝送路の速度に同期したスタッフ同期化信号に変換する。多重化部は、そのスタッフ同期化信号と同期系信号とを時分割多重し、多重化信号を伝送路に送出する。クロック発生部は、伝送路に応じた伝送クロックを生成する発振器である。
【０００６】
特許文献３には、同期デジタル信号と非同期デジタル信号を多重化する際に、それら信号をＳＤＨフレーム（ＳＴＭフレーム）にマッピングする一般的な技術が記載されている。例えば、ＳＤＨインタフェースを持つルータの内部で、Ｐｏｉｎｔ−ｔｏ−Ｐｏｉｎｔ−Ｐｒｏｔｏｃｏ１（ＰＰＰ）等を用いて、ＩＰ（Internet Protocol）ネットワーク中のパケットをＳＤＨネットワークのフレームフォーマットのバーチャルコンテナに対応させてマッピングし、クライアントペイロードとなす。また、そのクライアントペイロードにパスオーバーヘッド（Path 0verHead：ＰＯＨ）を付与して、ＳＤＨフレームに格納する。更に、コンテナの先頭位置を示すポインターをセクションオーバーヘッド（Section 0verHead ：ＳＯＨ）に挿入する。このポインターは、フレーム位相のずれを示す。
【０００７】
また、ＳＤＨでは、ポインターを利用したスタッフ同期機能が採用されている。例えば、多重化する低速デジタル信号の周波数がＳＴＭフレームのペイロードの周波数より若干低い場合は、ポインターのポインターバイトの直後にスタッフバイトを挿入する正スタッフ処理が実施される。逆に、多重化する低速デジタル信号の周波数がＳＴＭフレームのペイロードの周波数より若干高い場合は、ポインターの最後のバイトにユーザー情報を格納する負スタッフ処理が実施される。また、多重化する低速デジタル信号の周波数がＳＴＭフレームのペイロードの周波数と一致している場合は、スタッフ処理は行われない。このような正負スタッフ処理により周波数同期が実現され、同期デジタル伝送を行う場合においても、非同期デジタル信号を安定した通信品質で時分割多重化して伝送を行うことが可能になる。
【０００８】
また、特許文献３の図１５には、伝送システムの一例が示されている。その伝送システムは、多重装置と分離装置を備えている。
【０００９】
多重装置は、光信号を受信する受信部、周波数同期部、共通制御部、多重変換部、光信号を送信する送信部及びクロック供給部を具える。受信部は、低速の光信号を光電変換し、周波数同期部に入力する。周波数同期部は、低速デジタル信号から抽出した再生クロックと網同期した発振器から供給されるクロックとの位相差を検出し、その大きさが一定の正スタッフしきい値を超えた時に正スタッフを実行し、一定の負スタッフしきい値を下回った時に負スタッフを実行し、低速デジタル信号を同期化する。オーバーヘッドはスタッフ情報転送領域と負スタッフ用ビットから構成され、スタッフ処理を行ったか否かの情報が分離装置に送られる。多重変換部は、同期化されたデジタル信号とオーバーヘッドを合成し、他の低速デジタル信号と時分割多重する。生成された高速デジタル信号は、送信部によって光信号に変換され、通信路へ送出される。
【００１０】
分離装置は、多重化された高速デジタル信号を受信する受信部、多重分離部、周波数復元部、共通制御部及び復元した低速デジタル信号を送信する送信部を具える。受信部は、多重化された高速デジタル信号を光電変換し、多重分離部に入力する。多重分離部では、高速デジタル信号を複数の低速デジタル信号に多重分離し、周波数復元部に入力する。周波数復元部では、スタッフ情報転送領域を参照し、正スタッフ処理がなされている場合はスタッフビットを除去し、負スタッフ処理がなされている場合は負スタッフ用ビットからデータを読出し、低速デジタル信号を復元する。送信部では、復元された低速デジタル信号を低速伝送装置へ送信する。
【００１１】
【特許文献１】特開平５−２２７１７７号公報
【特許文献２】特公平８−１３０２１号公報
【特許文献３】特開２００１−１７７４９１号公報
【発明の開示】
【発明が解決しようとする課題】
【００１２】
同期多重伝送において、クロックの管理は重要である。一方で、使用するクロックが外部クロック、内部クロック、信号から抽出された抽出クロック等から選択可能である場合、システムの運用・保守が煩雑となる。
【００１３】
本発明の目的は、同期多重伝送システムの運用・保守の負担を低減することができる技術を提供することにある。
【課題を解決するための手段】
【００１４】
以下に、［発明を実施するための最良の形態］で使用される番号・符号を用いて、［課題を解決するための手段］を説明する。これらの番号・符号は、［特許請求の範囲］の記載と［発明を実施するための最良の形態］との対応関係を明らかにするために括弧付きで付加されたものである。ただし、それらの番号・符号を、［特許請求の範囲］に記載されている発明の技術的範囲の解釈に用いてはならない。
【００１５】
本発明によれば、同期系信号と非同期系信号を多重伝送する技術が提供される。
【００１６】
本発明の第１の観点において、多重伝送装置（２，４）が提供される。その多重伝送装置（２，４）は、同期系信号から第１クロック（Ｃ１）を抽出するクロック抽出部（１２）と、第１クロック（Ｃ１）に基づいて上記同期系信号と非同期系信号を多重化するデータ多重部（１１）とを備える。同期系信号は、例えばＳＤＨが規定するＳＴＭ−１に準拠した信号である。データ多重部（１１）は、同期系信号及び非同期系信号をＳＤＨフレームのペイロード部（ＰＬＤ）にマッピングする。
【００１７】
多重伝送装置（２，４）は、更に、フリーランクロック（Ｃ２）を生成する固定発振器（１３）と、クロック抽出部（１２）により抽出される第１クロック（Ｃ１）及びフリーランクロック（Ｃ２）を受け取るクロック選択部（１４）を備えてもよい。クロック抽出部（１２）によるクロック抽出が正常な場合、クロック選択部（１４）は、クロック抽出部（１２）から受け取った第１クロック（Ｃ１）を、データ多重部（１１）に出力する。クロック抽出部（１２）によるクロック抽出が正常ではない場合、クロック選択部（１４）は、フリーランクロック（Ｃ２）をデータ多重部（１１）に出力する。
【００１８】
データ多重部（１１）は、同期系信号と非同期系信号を時分割多重して多重化信号を生成してもよい。
【００１９】
多重伝送装置（４）は、更に、複数のトランスポンダ（４０−１）と、複数のトランスポンダ（４０−１）のそれぞれから出力される波長の異なる複数の信号に対して波長分割多重を行う波長多重部（４１）を備えてもよい。この場合、複数のトランスポンダ（４０−１）の各々が、上述のクロック抽出部（１２）及びデータ多重部（１１）を含む。そして、複数のトランスポンダ（４０−１）のそれぞれが、多重化信号を互いに波長の異なる上記複数の信号に変換する。
【００２０】
本発明の第２の観点において、多重伝送システム（１）が提供される。その多重伝送システム（１）は、送信装置（２−１，４−１）と、伝送路（３，５）を介して送信装置（２−１，４−１）と接続された受信装置（２−２，４−２）とを具備する。送信装置（２−１，４−１）は、同期系信号から第１クロック（Ｃ１）を抽出するクロック抽出部（１２）と、第１クロック（Ｃ１）に基づいて上記同期系信号と非同期系信号を多重化し多重化信号を生成するデータ多重部（１１）とを備える。一方、受信装置（２−２，４−２）は、その多重化信号を同期系信号と非同期系信号に分離するデータ分離部（２１）を備える。
【００２１】
同期系信号は、例えばＳＤＨが規定するＳＴＭ−１に準拠した信号である。データ多重部（１１）は、同期系信号及び非同期系信号をＳＤＨフレームのペイロード部（ＰＬＤ）にマッピングする。
【００２２】
送信装置（２−１，４−１）は、更に、フリーランクロック（Ｃ２）を生成する固定発振器（１３）と、クロック抽出部（１２）により抽出される第１クロック（Ｃ１）及びフリーランクロック（Ｃ２）を受け取るクロック選択部（１４）とを備えてもよい。クロック抽出部（１２）によるクロック抽出が正常な場合、クロック選択部（１４）は、クロック抽出部（１２）から受け取った第１クロック（Ｃ１）を、データ多重部（１１）に出力する。クロック抽出部（１２）によるクロック抽出が正常ではない場合、クロック選択部（１４）は、フリーランクロック（Ｃ２）をデータ多重部（１１）に出力する。
【００２３】
データ多重部（１１）は、同期系信号と非同期系信号とを時分割多重して多重化信号を生成してもよい。
【００２４】
送信装置（４−１）は、更に、複数の第１トランスポンダ（４０−１）と、複数の第１トランスポンダ（４０−１）のそれぞれから出力される波長の異なる複数の信号に対して波長分割多重を行い、波長多重化信号を生成する波長多重部（４１）を備えてもよい。この場合、複数の第１トランスポンダ（４０−１）の各々が、上述のクロック抽出部（１２）及びデータ多重部（１１）を含む。そして、複数のトランスポンダ（４０−１）のそれぞれが、多重化信号を互いに波長の異なる上記複数の信号に変換する。一方、受信装置（４−２）は、更に、上記波長多重化信号を上記波長の異なる複数の信号に分離する波長分離部（４２）と、それら複数の信号のそれぞれを受け取る複数の第２トランスポンダ（４０−２）とを備える。この場合、複数の第２トランスポンダ（４０−２）の各々が、上述のデータ分離部（２１）を含む。各々の第２トランスポンダ（４０−２）は、複数の信号のうち対応する信号を多重化信号に変換し、その多重化信号を同期系信号と非同期系信号に分離する。
【００２５】
本発明の第３の観点において、多重伝送方法が提供される。その多重伝送方法は、（Ａ）同期系信号から第１クロック（Ｃ１）を抽出するステップと、（Ｂ）第１クロック（Ｃ１）に基づいて上記同期系信号と非同期系信号を多重化し、多重化信号を生成するステップと、（Ｃ）その多重化信号に基づいて生成された信号を伝送するステップと、を含む。
【００２６】
同期系信号は、例えばＳＤＨが規定するＳＴＭ−１に準拠した信号である。上記（Ｂ）ステップにおいて、同期系信号及び非同期系信号は、ＳＤＨフレームのペイロード部（ＰＬＤ）にマッピングされる。
【００２７】
上記（Ｂ）ステップにおいて、同期系信号と非同期系信号との時分割多重により多重化信号が生成されてもよい。
【００２８】
上記（Ｃ）ステップは、（ａ）上記多重化信号を所定の波長の信号に変換するステップと、（ｂ）上記（ａ）ステップにより得られる波長の異なる複数の信号に対して、波長分割多重を行い、波長多重化信号を生成するステップと、（ｃ）波長多重化信号に基づいて生成された信号を伝送するステップと、を含んでいてもよい。
【発明の効果】
【００２９】
本発明によれば、同期系信号と非同期系信号の多重伝送において用いられるクロックは、当該同期系信号から抽出されるクロックに固定される。従って、クロックの管理が不要となり、システムの運用・保守の負担を低減することが可能となる。
【発明を実施するための最良の形態】
【００３０】
添付図面を参照して、本発明の実施の形態に係る多重伝送装置、多重伝送システム、及び多重伝送方法を説明する。
【００３１】
１．第１の実施の形態
図１は、本発明の第１の実施の形態に係る多重伝送システム１の構成を概略的に示している。この多重伝送システム１はＳＤＨ（Synchronous Digital Hierarchy）に準拠しており、基準伝送速度は１５５．５２Ｍｂｐｓである。図１において、多重伝送システム１は多重伝送装置２−１、２−２を備えており、それら多重伝送装置２−１及び２−２は、光ファイバの伝送路３を通じて互いに接続されている。多重伝送装置２−１は送信側であり、以下、送信装置２−１と参照される。一方、多重伝送装置２−２は受信側であり、以下、受信装置２−２と参照される。
【００３２】
送信装置２−１は、信号を多重化（multiplex）する多重装置１０を備えている。多重装置１０は、多重化信号を生成し、生成された多重化信号を伝送路３を介して受信装置２−２に送出する。一方、受信装置２−２は、送られてきた多重化信号を受け取り、受け取った多重化信号を分離（de-multiplex）する分離装置２０を備えている。尚、送信装置２−１と受信装置２−２との間のデータ伝送は、完全トランスペアレント伝送であり、送信装置２−１に入力された信号は、そのまま受信装置２−２から出力される。
【００３３】
本実施の形態によれば、同期系信号と非同期系信号の多重伝送が行われる。例えば、図１において、同期系信号であるＳＴＭ（Synchronous Transport Module）信号は、ＳＴＭ−１（１５５．５２Ｍｂｐｓ）に準拠した信号である。一方、非同期系信号として、ＧｂＥ信号とＤＳ１信号が挙げられている。ＧｂＥ信号（１．２５Ｇｂｐｓ）は、ＧｂＥ（Giga-bit Ethernet）規格に準拠した信号である。ＤＳ１信号（１．５４４Ｍｂｐｓ）は、ＤＳ１（Digital Signal Level-1）規格に準拠した信号である。
【００３４】
送信装置２−１の多重装置１０には、１本のＳＴＭ信号、ｍ本（ｍは自然数）のＧｂＥ信号、及びｎ本（ｎは自然数）のＤＳ１信号が入力されている。多重装置１０は、それら信号を多重化することによって多重化信号を生成し、生成された多重化信号を伝送路３に送出する。受信装置２−２の分離装置２０は、伝送路３を介して伝送された多重化信号を受け取る。そして、分離装置２０は、その多重化信号を、１本のＳＴＭ信号、ｍ本のＧｂＥ信号、及びｎ本のＤＳ１信号に分離する。
【００３５】
図２は、多重装置１０及び分離装置２０の構成を詳細に示している。多重装置１０は、データ多重部１１、クロック抽出部１２、固定発振器１３、及びクロック選択部１４を備えている。一方、分離装置２０は、データ分離部２１を備えている。以下、図２を参照して、本実施の形態に係る多重伝送システム１の動作を説明する。
【００３６】
クロック抽出部１２は、ＳＴＭ信号を受け取り、受け取ったＳＴＭ信号からクロックＣ１を抽出する。このＳＴＭ−１に準拠したＳＴＭ信号から抽出されるクロックＣ１は、以下「ＳＴＭクロック」と参照される。クロック抽出部１２は、抽出されたＳＴＭクロックＣ１をクロック選択部１４に出力する。また、クロック抽出部１２は、ＳＴＭ信号をデータ多重部１１に出力する。
【００３７】
固定発振器１３は、ＳＴＭ信号の入力が無い場合に使用されるフリーランクロックＣ２を生成する。フリーランクロックＣ２は、ＳＴＭ−１と同じ１５５．５２Ｍｂｐｓである。固定発振器１３は、そのフリーランクロックＣ２をクロック選択部１４に出力する。
【００３８】
クロック選択部１４は、ＳＴＭクロックＣ１及びフリーランクロックＣ２を受け取り、それらのうちいずれかを選択する。具体的には、ＳＴＭクロックＣ１が正常に抽出されている場合は、クロック選択部１４は、ＳＴＭクロックＣ１を選択する。一方、ＳＴＭ信号の入力が断たれた場合など、ＳＴＭクロックＣ１が正常に抽出されていない場合、クロック選択部１４は、フリーランクロックＣ２を選択する。そして、クロック選択部１４は、選択された選択クロックをデータ多重部１１に出力する。
【００３９】
データ多重部１１は、上述の１本のＳＴＭ信号、ｍ本のＧｂＥ信号、ｎ本のＤＳ１信号に加えて、クロック選択部１４により選択された選択クロックを受け取る。そして、データ多重部１１は、その選択クロック（通常はＳＴＭクロックＣ１）に基づいて、それら複数の信号の時分割多重（TDM: Time Division Multiplex）を行う。すなわち、データ多重部１１は、ＳＴＭ信号から抽出されたＳＴＭクロックＣ１を逓倍して用いることにより、時分割多重を行う。
【００４０】
図３は、ＳＤＨにおいて生成されるＳＤＨフレーム（ＳＴＭ−Ｎフレーム）の構成を概念的に示している。図３に示されるように、１つのＳＤＨフレームは、９行×（２７０×Ｎ）列の信号で構成されている。フレーム周期は１２５μｓに規定されている。また、ＳＤＨフレームは、オーバーヘッド部ＯＨ（９×Ｎ列）と、多重化された情報が格納されるペイロード部ＰＬＤ（２６１×Ｎ列）とから構成されている。ＳＴＭ−１フレームは、Ｎが１の場合に相当する。
【００４１】
同期系信号と非同期系信号の多重化において、データ多重部１１は、それら同期系信号と非同期系信号を、ＳＤＨフレーム（ＳＴＭ−Ｎフレーム）のペイロード部ＰＬＤにマッピングする。例えば、ＧｂＥ信号は、「ＧＦＰ（General Framing Procedure）」によってＳＤＨフレームのペイロード部ＰＬＤにマッピングされる。ＧＦＰは、汎用フレームをＳＤＨフレームにマッピングする技術であり、ＩＴＵ−Ｔ  Ｇ．７０４１により標準化されている。また例えば、ＤＳ１信号は、「スタッフ多重方式」によってＳＤＨフレームのペイロード部ＰＬＤにマッピングされる。スタッフ多重方式は、ＩＴＵ−Ｔ  Ｇ．７０７により標準化されている。
【００４２】
このようにして、データ多重部１１は、同期系信号であるＳＴＭ信号と非同期系信号であるＧｂＥ信号及びＤＳ１信号との時分割多重を行い、ＳＤＨフレームからなる多重化信号を生成する。例えば、データ多重部１１は、時分割多重により、ＳＴＭ−１６フレーム（Ｎ＝１６）からなる多重化信号を生成する。多重装置１０は、データ多重部１１によって生成された多重化信号（多重化電気信号）を多重化光信号に変換し、その多重化光信号を伝送路３に送出する。
【００４３】
受信装置２−２の分離装置２０は、伝送路３から多重化光信号を受け取り、その多重化光信号を多重化電気信号に変換する。分離装置２０のデータ分離部２１は、多重化電気信号を受け取る。そして、データ分離部２１は、受け取った多重化信号を分離し、１本のＳＴＭ信号、ｍ本のＧｂＥ信号、及びｎ本のＤＳ１信号を再生する。
【００４４】
以上に説明されたように、本実施の形態によれば、同期系信号及び非同期系信号がＳＤＨフレームにマッピングされ、同期系信号と非同期系信号の時分割多重が行われる。その時分割多重において、基本的には、ＳＴＭ信号から抽出されるＳＴＭクロックＣ１が用いられる。言い換えれば、同期系信号と非同期系信号の多重伝送において用いられるクロックは、当該同期系信号であるＳＴＭ信号から抽出されるＳＴＭクロックＣ１に固定される。従って、クロックの管理が不要となり、多重伝送システム１の運用・保守の負担を低減することが可能となる。
【００４５】
２．第２の実施の形態
本発明は、波長分割多重（ＷＤＭ：Wavelength Division Multiplex）伝送システムにも適用され得る。波長分割多重方式によれば、波長の異なる複数の光信号が多重化され、その多重化された信号が１本の光ファイバで伝送される。
【００４６】
図４は、本発明が適用されたＷＤＭ方式の多重伝送システム１の構成を概略的に示している。図４において、多重伝送システム１は多重伝送装置４−１、４−２を備えており、それら多重伝送装置４−１及び４−２は、光ファイバの伝送路５を通じて互いに接続されている。多重伝送装置４−１は送信側であり、以下、送信装置４−１と参照される。一方、多重伝送装置４−２は受信側であり、以下、受信装置４−２と参照される。
【００４７】
送信装置４−１は、入力されたデータを所定の波長の信号に変換し、また、波長変換で得られた複数の信号を波長分割多重することにより波長多重化信号を生成する。そして、送信装置４−１は、生成された波長多重化信号を伝送路５を介して受信装置４−２に送出する。受信装置４−２は、波長多重化信号を受け取り、受け取った波長多重化信号を複数の信号に分離する。更に、受信装置４−２は、それら複数の信号の各々に対して波長変換を行い、元のデータを得る。
【００４８】
図４に示されるように、送信装置４−１は、複数のトランスポンダ（ＴＰＮＤ）４０−１、波長多重部（ＯＭＵＸ：Optical Multiplexer）４１、及び光増幅部４３−１を備えている。一方、受信装置４−２は、複数のトランスポンダ４０−２、波長分離部（ＯＤＭＵＸ：Optical Demultiplexer）４２、及び光増幅部４３−２を備えている。本実施の形態によれば、トランスポンダ４０−１、４０−２のそれぞれが、本発明に係る機能、すなわち図２に示された多重装置１０及び分離装置２０の機能をそれぞれ有している。
【００４９】
より詳細には、送信装置４−１において、１つのトランスポンダ４０−１に、１本のＳＴＭ信号、ｍ本のＧｂＥ信号、及びｎ本のＤＳ１信号が入力される。そして、トランスポンダ４０−１の多重装置１０が、第１の実施の形態と同様の方法により、それら入力された信号の多重を行う。更に、トランスポンダ４０−１は、多重化により得られた信号を所定の波長の信号に変換し、その波長変換により得られた信号を波長多重部４１に出力する。その所定の波長は、複数のトランスポンダ４０−１のそれぞれで少しずつ異なっている。
【００５０】
波長多重部４１は、複数のトランスポンダ４０−１から、波長の異なる複数の信号をそれぞれ受け取る。そして、波長多重部４１は、それら複数の信号を波長分割多重することにより波長多重化信号を生成する。生成された波長多重化信号（ＷＤＭ信号）は、光増幅部４３−１によって増幅され、伝送路５に送出される。
【００５１】
受信装置４−２において、波長分離部４２は、伝送路５を通して送られてきた波長多重化信号（ＷＤＭ信号）を受け取る。そして、波長分離部４２は、受け取った波長多重化信号を波長分離し、波長の異なる複数の信号を得る。波長分離部４２は、得られた複数の信号を、複数のトランスポンダ４０−２にそれぞれ出力する。
【００５２】
受信装置４−２において、各々のトランスポンダ４０−２は、波長分離部４２から信号を受け取る。そして、各トランスポンダ４０−２は、その受け取った信号を元の波長の信号に変換する。更に、各トランスポンダ４０−２の分離装置２０は、波長変換により得られた信号を、第１の実施の形態と同様の方法により分離する。その結果、１本のＳＴＭ信号、ｍ本のＧｂＥ信号、及びｎ本のＤＳ１信号が得られる。
【００５３】
本実施の形態においても、第１の実施の形態と同様の効果が得られる。すなわち、多重伝送システム１の運用・保守の負担を低減することが可能となる。
【図面の簡単な説明】
【００５４】
【図１】図１は、本発明の第１の実施の形態に係る多重伝送システムの構成を示すブロック図である。
【図２】図２は、第１の実施の形態に係る多重伝送装置の構成を詳細に示すブロック図である。
【図３】図３は、ＳＤＨフレームの構成を示す概念的に示す図である。
【図４】図４は、本発明の第２の実施の形態に係る多重伝送システムの構成を示すブロック図である。
【符号の説明】
【００５５】
１    多重伝送システム
２    多重伝送装置
２−１  送信装置
２−２  受信装置
３    伝送路
４    多重伝送装置
４−１  送信装置
４−２  受信装置
５    伝送路
１０    多重装置
１１    データ多重部
１２    クロック抽出部
１３    固定発振器
１４    クロック選択部
２０    分離装置
２１    データ分離部
４０    トランスポンダ
４１    波長多重部
４２    波長分離部
４３    光増幅部
ＯＨ    オーバーヘッド部
ＰＬＤ  ペイロード部
【図１】
2008054299.tif 000003
【図２】
2008054299.tif 000004
【図３】
2008054299.tif 000005
【図４】
2008054299.tif 000006